(57)【要約】  ビデオ着信音を送信するための方法である。本方法は、第１の通信デバイスからの呼び出しを第２の通信デバイスに送信することを含み、この呼び出しが第２の通信デバイスで、着信音として選択可能なビデオと通信する。
2015536095.tif 000002
【特許請求の範囲】
【請求項１】
ビデオ着信音を送信するためのコンピュータ実装方法であって、
第１の通信デバイスから第２の通信デバイスに呼び出しを送信することであって、前記呼び出しが、選択可能なビデオを着信音として前記第２の通信デバイスで通信することを含む、
コンピュータ実装方法。
【請求項２】
前記第１の通信デバイスの操作者から前記選択可能なビデオの選択を受け取ることをさらに含み、前記選択可能なビデオは、選択可能なビデオの貯蔵部に位置する、
請求項１に記載のコンピュータ実装方法。
【請求項３】
前記第１の通信デバイスの操作者からの音声修正命令に応答して、前記呼び出しのための前記選択可能なビデオの音声コンポーネントを変更することをさらに含む、
請求項１に記載のコンピュータ実装方法。
【請求項４】
前記第１の通信デバイスの操作者からの視覚修正命令に応答して、前記呼び出しのための前記選択可能なビデオの視覚コンポーネントを変更することをさらに含む、
請求項１に記載のコンピュータ実装方法。
【請求項５】
前記第２の通信デバイスの識別を前記選択可能なビデオと関連付けることをさらに含む、
請求項１に記載のコンピュータ実装方法。
【請求項６】
第１の通信デバイスと連結しているデバイスであって、
前記第１の通信デバイスから第２の通信デバイスに呼び出しを送信するように構成される呼び出し送信部を含み、前記呼び出しが、選択可能なビデオを着信音として前記第２の通信デバイスで通信する、デバイス。
【請求項７】
前記呼び出し送信部に連結している呼び出し関連付け部であって、関連表に基づいて、前記第２の通信デバイスの識別を前記選択可能なビデオと関連付けるように構成される、前記呼び出し関連付け部をさらに含む、
請求項６に記載のデバイス。
【請求項８】
前記呼び出し送信部に連結している選択受信部であって、前記第１の通信デバイスの操作者から前記選択可能なビデオの選択を受け取るように構成される前記選択受信部をさらに含み、前記選択可能なビデオは、選択可能なビデオの貯蔵部内の前記デバイスに位置する、
請求項６に記載のデバイス。
【請求項９】
前記呼び出し送信部に連結している音声コンポーネント修正部であって、前記第１の通信デバイスの操作者からの音声修正命令に応答して、前記呼び出しのための前記選択可能なビデオの音声コンポーネントを変更するように構成される、前記音声コンポーネント修正部をさらに含む、
請求項６に記載のデバイス。
【請求項１０】
前記呼び出し送信部に連結している視覚コンポーネント修正部であって、前記第１の通信デバイスの操作者からの視覚修正命令に応答して、前記呼び出しのための前記選択可能なビデオの視覚コンポーネントを変更するように構成される、前記視覚コンポーネント修正部をさらに含む、
請求項６に記載のデバイス。
【請求項１１】
前記選択可能なビデオは、前記第１の通信デバイスによって記録されたビデオを含む、
請求項６に記載のデバイス。
【請求項１２】
前記選択可能なビデオは、前記第１の通信デバイスによってダウンロードされたビデオを含む、
請求項６に記載のデバイス。
【請求項１３】
前記選択可能なビデオは、前記第１の通信デバイスにあらかじめインストールされたビデオを含む、
請求項６に記載のデバイス。
【発明の詳細な説明】
【技術分野】
【０００１】
［関連出願の参照］
本明細書は、２０１２年９月２８日に出願された非仮出願米国特許出願第１３／６３１，３１４号に関連し、優先権を主張し、その全体を参照することにより明細書に組み込まれる。
【背景技術】
【０００２】
一般的に、通信ネットワークにおいて、電話は警告信号とともに着信呼を登録する。警告信号は、聴覚警告（例えば、ベルを鳴らす）、振動パターン、および光パターン（例えば、ディスプレイ内で光を点滅しながら発信番号を識別する）などのさまざまな形式でやってくる。概して、着信呼を受ける電話の操作者が警告信号の形式を制御する。
【発明の概要】
【０００３】
本書は、ビデオ着信音を送信するための方法を少なくとも開示する。本方法は、第１の通信デバイスから第２の通信デバイスに呼び出しを送信することを含み、この呼び出しが、第２の通信デバイスで、選択可能なビデオを着信音として通信する。
【図面の簡単な説明】
【０００４】
【図１】実施形態による、例示的デバイスを示すブロック図である。
【０００５】
【図２】実施形態による、ビデオ着信音を送信するための例示的方法を示すフロー図である。
【０００６】
本明細書において参照される図面は、特に記載のない限り、原寸通りに作画されていないということが理解されるべきである。
【発明を実施するための形態】
【０００７】
種々の実施形態が、詳細な例示的実施形態を参照して、ビデオ着信音を送信するためのデバイスとの関連において以下に記載される。システム、装置、および方法がさまざまな形式で具現化され得るということが本明細書に提供された説明から明白となろう。それゆえ、本明細書に開示される特定の構造的および機能的詳細は典型であり、本発明の技術の実施形態の範囲を限定しない。
【０００８】
本明細書には、第１の通信デバイスから第２の通信デバイスにビデオ着信音を送信するための例示的デバイスおよび方法が記載される。
【０００９】
具体的には、以下の検討では、デバイスの構造およびコンポーネントをまず説明する。次に、この検討は、デバイス使用中のデバイスの構造およびコンポーネントの機能性を説明する。
【００１０】
図１は、実施形態による、第１の通信デバイス１００に連結しているデバイス１０５を示すブロック図を示す。一実施形態において、デバイス１０５は、呼び出し送信部１１０、呼び出し関連付け部１１５、選択受信部１２０、音声コンポーネント修正部１３５、および視覚コンポーネント修正部１４０を含む。
【００１１】
一実施形態において、呼び出し送信部１１０は、第１の通信デバイス１００から第２の通信デバイス１５０に呼び出し１４５を送信し、呼び出し１４５は第２の通信デバイス１５０で、選択可能なビデオ１３０を着信音として通信する。一実施形態において、第１の通信デバイス１００および／または第２の通信デバイス１５０は、携帯電話である。しかしながら、第１の通信デバイス１００および／または第２の通信デバイス１５０は、別のデバイスへの通信を送受信する能力を持つ任意のデバイスであり得ることが理解されるべきである。通信という用語は、１つの通信デバイスからもう１つへ送信される、テキスト、ボイスメール、および電子メールなどを含む任意の種類のメッセージを指すが、これらに限定されない。
【００１２】
一実施形態において、呼び出し関連付け部１１５は、呼び出し送信部１１０と連結している。呼び出し関連付け部１１５は、関連表１６０に基づいて、第２の通信デバイス１５０の識別を、選択可能なビデオ１３０と関連付ける。例えば、第１の通信デバイス１００の操作者が、第２の通信デバイス１５０への通信を行っているという信号を出すと、デバイス１０５が呼び出しの意図された位置（例えば、第２の通信デバイス１５０の電話番号）を認識し、関連表１６０を閲覧して特定の識別に対応する選択可能なビデオを決定する。関連表１６０は、識別１６５の貯蔵部内に格納された認識された識別と選択可能なビデオの貯蔵部１２５内に格納された選択可能なビデオとの間の所定の関係を提示する。より具体的に、かつ上述の例によれば、関連表１６０は、第２の通信デバイス１５０の識別に対応する選択可能なビデオ１３０を提示する。デバイス１０５によって認識された第２の通信デバイス１５０の識別は、第２の通信デバイス１５０の電話番号、電子メールアドレス、名前などであり得るがこれらに限定されない。
【００１３】
一実施形態において、選択受信部１２０は、呼び出し送信部１１０と連結している。選択受信部１２０は、第１の通信デバイス１００の操作者から選択可能なビデオ１３０の選択を受信し、選択可能なビデオ１３００は選択可能なビデオの貯蔵部１２５内のデバイス１０５に位置する。例えば、第１の通信デバイス１００の操作者（例えば、第１の通信デバイス１００を用いる発信者）は、第２の通信デバイス１５０が呼び出し１４５を受信すると第２の通信デバイス１５０の表示画面上に表示される選択可能なビデオ１３０として、スカイダイビングをしている自身のビデオを選択する。
【００１４】
一実施形態において、選択可能なビデオ１３０は、第１の通信デバイス１００によって記録されたビデオである。別の実施形態において、選択可能なビデオは、第１の通信デバイス１００によってダウンロードされたビデオである。また別の実施形態において、選択可能なビデオは、第１の通信デバイス１００にあらかじめインストールされたビデオである。例えば、選択可能なビデオは、第１の通信デバイス１００の製造時に、または第１の通信デバイス１００の販売業者によってもあらかじめインストールされ得るが、この例に限定されない。
【００１５】
一実施形態において、音声コンポーネント修正部１３５は、呼び出し送信部１１０と連結している。音声コンポーネント修正部１３５は、第１の通信デバイス１００の操作者からの音声修正命令に応答して、呼び出し１４５のための選択可能なビデオ１３０の音声コンポーネントを変更する。音声修正命令は、ビデオの音量を増加および／または減少し、並びに音声コンポーネントを消音にし得るが、これに限定されない。よって、一例において、第１の通信デバイス１００の操作者は、選択可能なビデオ１３０が第２の通信デバイス１５０の画面上に表示されたときに、このビデオに音声が伴わないように、音声が消音されるように指示し得る。
【００１６】
一実施形態において、視覚コンポーネント修正部１４０は、呼び出し送信部１１０と連結している。視覚コンポーネント修正部１４０は、第１の通信デバイス１００の操作者からの視覚修正命令に応答して、呼び出し１４５のための選択可能なビデオ１３０の視覚コンポーネントを変更する。視覚修正命令は、ビデオの再生の速度を上昇および／または低下させ、ビデオの明るさを増加および／または減少させ得るが、これに限定されない。よって、一例において、第１の通信デバイス１００の操作者は、選択可能なビデオ１３０が第２の通信デバイス１５０の画面上に表示されたときに、ビデオが当初記録された速度の２倍で再生されるように指示し得る。
【００１７】
本検討はここで、デバイス１０５の使用中における、デバイス１０５の構造およびコンポーネントの機能性を説明する。具体的には、本検討は、ビデオ着信音を送信することを説明する。本検討は、図１および図２を参照する。図２は、ビデオ着信音を送信するための例示的方法を示すフロー図である。種々の実施形態において、方法２００は、コンピュータ可読およびコンピュータ実行可能な命令の制御下で、プロセッサおよび電子コンポーネントによって実行される。コンピュータ可読およびコンピュータ実行可能な命令は、例えば、コンピュータ使用可能な揮発性メモリおよび不揮発性メモリなどの非一時的なデータ記憶媒体内に存在する。しかしながら、コンピュータ可読およびコンピュータ実行可能な命令は、任意の種類のコンピュータ可読記憶媒体内に存在し得る。いくつかの実施形態において、方法２００は、図１に説明されるように、デバイス１０５内のコンポーネントによって実施される。
【００１８】
動作２０５で、および本明細書に記載されるように、一実施形態において、呼び出し１４５は、第１の通信デバイス１００から第２の通信デバイス１５０に送信され、呼び出しが第２の通信デバイス１５０で、選択可能なビデオ１３０を着信音として通信する。
【００１９】
動作２１０で、および本明細書に記載されるように、一実施形態において、選択可能なビデオ１３０の選択は、第１の通信デバイス１００の操作者から受け取られ、選択可能なビデオ１３０は、選択可能なビデオの貯蔵部１２５に位置する。
【００２０】
動作２１５で、および本明細書に記載されるように、一実施形態において、選択可能なビデオ１３０の音声コンポーネントは、第１の通信デバイス１００の操作者からの音声修正命令に応答して、呼び出し１４５のために変更される。
【００２１】
動作２２０で、および本明細書に記載されるように、一実施形態において、選択可能なビデオ１３０の視覚コンポーネントは、第１の通信デバイス１００の操作者からの視覚修正命令に応答して、呼び出し１４５のために変更される。
【００２２】
動作２２５で、および本明細書に記載されるように、一実施形態において、第２の通信デバイス１５０の識別は、選択可能なビデオ１３０と関連付けられる。
【００２３】
本発明の種々の実施形態は上述のように説明される。本発明は特定の実施形態において説明されたが、本発明はかかる実施形態によって制限されるように解釈されるべきでなく、以下の特許請求の範囲に従って解釈されるべきであるということが理解されるべきである。
【００２４】
当業者は、本説明において言及された方法ステップが、プロセッサ；少なくともキーボード、マウス、スキャナ、カメラを備える入力デバイス；少なくともモニタ、プリンタを備える出力デバイス、を含むがこれらに限定されないハードウェアによって実行され得るということを理解するであろう。本方法ステップは、必要な場合には、適切なデバイスとともに実行される。例えば、決定ステップは、決定アルゴリズムを実装することにより、プロセッサ内の意思決定ユニットによって実行され得る。当業者は、前述の決定アルゴリズムを実行するときに、この意思決定ユニットが、例えばコンピュータのプロセッサ内などに物理的または効果的に存在し得るということを理解するであろう。上記の分析は、本明細書に記載の他のステップに適用される。
【００２５】
本明細書に記載のすべての要素、部品、およびステップが望ましくは含まれる。当業者には明白となるように、これらの要素、部品、およびステップのうちのいずれも、他の要素、部品、およびステップによって置換され得るか、または完全に取り除かれ得るということが理解されるであろう。
概念：
本文書は少なくとも以下の概念を開示する。
概念１．  ビデオ着信音を送信するためのコンピュータ実装方法であって、
第１の通信デバイスから第２の通信デバイスに呼び出しを送信することであって、前記呼び出しが、選択可能なビデオを着信音として前記第２の通信デバイスで通信することを含む、コンピュータ実装方法。
概念２．  前記第１の通信デバイスの操作者から前記選択可能なビデオの選択を受け取ることをさらに含み、前記選択可能なビデオは、選択可能なビデオの貯蔵部に位置する、
概念１に記載のコンピュータ実装方法。
概念３．  前記第１の通信デバイスの操作者からの音声修正命令に応答して、前記呼び出しのための前記選択可能なビデオの音声コンポーネントを変更することをさらに含む、
概念１または２に記載のコンピュータ実装方法。
概念４．  前記第１の通信デバイスの操作者からの視覚修正命令に応答して、前記呼び出しのための前記選択可能なビデオの視覚コンポーネントを変更することをさらに含む、
概念１または２に記載のコンピュータ実装方法。
概念５．  前記第２の通信デバイスの識別を前記選択可能なビデオと関連付けることをさらに含む、
概念１または２に記載のコンピュータ実装方法。
概念６．  第１の通信デバイスと連結しているデバイスであって、
前記第１の通信デバイスから第２の通信デバイスに呼び出しを送信するように構成される呼び出し送信部を含み、前記呼び出しが、選択可能なビデオを着信音として前記第２の通信デバイスで通信する、デバイス。
概念７．  前記呼び出し送信部に連結している選択受信部であって、前記第１の通信デバイスの操作者からの前記選択可能なビデオの選択を受け取るように構成される前記選択受信部をさらに含み、前記選択可能なビデオは、選択可能なビデオの貯蔵部内の前記デバイスに位置する、
概念６に記載のデバイス。
概念８．  前記呼び出し送信部に連結している呼び出し関連付け部であって、関連表に基づいて、前記第２の通信デバイスの識別を前記選択可能なビデオと関連付けるように構成される、前記呼び出し関連付け部をさらに含む、
概念６または７に記載のデバイス。
概念９．  前記呼び出し送信部に連結している音声コンポーネント修正部であって、前記第１の通信デバイスの操作者からの音声修正命令に応答して、前記呼び出しのための前記選択可能なビデオの音声コンポーネントを変更するように構成される、前記音声コンポーネント修正部をさらに含む、
概念６または７に記載のデバイス。
概念１０．  前記呼び出し送信部に連結している視覚コンポーネント修正部であって、前記第１の通信デバイスの操作者からの視覚修正命令に応答して、前記呼び出しのための前記選択可能なビデオの視覚コンポーネントを変更するように構成される、前記視覚コンポーネント修正部をさらに含む、
概念６または７に記載のデバイス。
概念１１．  前記選択可能なビデオは、前記第１の通信デバイスによって記録されたビデオを含む、
概念６または７に記載のデバイス。
概念１２．  前記選択可能なビデオは、前記第１の通信デバイスによってダウンロードされたビデオを含む、
概念６または７に記載のデバイス。
概念１３．  前記選択可能なビデオは、前記第１の通信デバイスにあらかじめインストールされたビデオを含む、
概念６または７に記載のデバイス。
【図１】
2015536095.tif 000003
【図２】
2015536095.tif 000004
【国際調査報告】
2015536095.tif 000005
2015536095.tif 000006